(57)【要約】【課題】媒体の識別情報の欠落を防止する。【解決手段】鑑別部２１と主制御部９との間で記番号情報を遣り取りする為に設けられた回線３０に障害が発生した場合、鑑別部２１と主制御部９との通信経路を、ユニット制御部１２を介して鑑別部２１と主制御部９とを繋ぐ制御信号や鑑別結果を遣り取りする為に設けられた回線３１及び３２に切り替え、この回線３１及び３２を使用して、鑑別部２１から記番号情報を主制御部９へ送信するようにした。これにより、回線３０に障害が発生して使用できなくなった場合でも、主制御部９が、鑑別部２１から記番号情報を取得できるので、主制御部９によって管理される記番号情報に欠落が生じてしまうことを防止できる。【選択図】図３
2016091495.tif 000002
【特許請求の範囲】
【請求項１】
媒体を処理する媒体処理部と、
前記媒体処理部に設けられ、前記媒体に付された前記媒体を識別する為の識別文字列を前記媒体から読み取る鑑別部と、
前記識別文字列を識別情報として前記鑑別部から受け取り管理する管理制御部と
を有し、
前記管理制御部は、
前記識別情報を送受信する為に設けられた第１の回線によって前記鑑別部と接続されているとともに、前記識別情報とは別の情報を送受信する為に設けられた第２の回線によって前記鑑別部と接続され、前記第１の回線を使用して前記鑑別部から前記識別情報を受信し、前記第１の回線に障害が発生した場合には、前記第２の回線を使用して前記鑑別部から前記識別情報を受信する
ことを特徴とする媒体処理装置。
【請求項２】
前記識別情報には、前記識別文字列の各文字を文字コードに変換してなる識別文字列データと、前記媒体の前記識別文字列が付された面を撮影して得られた媒体画像データの少なくとも一方が含まれている
ことを特徴とする請求項１に記載の媒体処理装置。
【請求項３】
前記鑑別部は、
前記第１の回線を使用して前記管理制御部に前記識別情報を送信する際には、前記識別文字列データと前記媒体画像データとの両方を含む前記識別情報を送信し、
前記第２の回線を使用して前記管理制御部に前記識別情報を送信する際には、前記識別文字列を正常に読み取ることができた媒体については前記識別文字列データのみを含む前記識別情報を送信し、前記識別文字列を正常に読み取ることができなかった媒体については前記識別文字列データと前記媒体画像データの両方を含む前記識別情報を送信する
ことを特徴とする請求項２に記載の媒体処理装置。
【請求項４】
前記媒体処理部には、前記媒体処理部を制御する媒体処理制御部が設けられ、
前記第２の回線により、前記管理制御部と前記鑑別部とが前記媒体処理制御部を介して接続されている
ことを特徴とする請求項１から３のいずれかに記載の媒体処理装置。
【請求項５】
前記鑑別部は、
前記第１の回線に障害が発生した場合、前記識別文字列を正常に読み取ることができた媒体のうち、読み取った前記識別文字列に誤りが生じている可能性がある媒体ついては、前記識別文字列データと前記媒体画像データの両方を含む前記識別情報を、前記第２の回線を使用して前記管理制御部に送信する
ことを特徴とする請求項３に記載の媒体処理装置。
【請求項６】
前記鑑別部は、
前記第１の回線に障害が発生した場合、前記識別情報を記憶部に一旦保存し、前記記憶部に保存してある前記識別情報を、前記第２の回線を使用して前記管理制御部に送信する
ことを特徴とする請求項１〜５のいずれかに記載の媒体処理装置。
【請求項７】
前記鑑別部は、
前記第２の回線が前記識別情報とは別の情報の送受信に使用されていないときに、前記記憶部に保存してある前記識別情報を、前記第２の回線を使用して前記管理制御部に送信する
ことを特徴とする請求項６に記載の媒体処理装置。
【請求項８】
媒体を処理する媒体処理部と、
前記媒体処理部に設けられ、前記媒体に付された前記媒体を識別する為の識別文字列を前記媒体から読み取る鑑別部と、
前記識別文字列を識別情報として前記鑑別部から受け取り管理する管理制御部と
を有し、
前記管理制御部は、
前記識別情報を送受信する為に設けられた回線によって前記鑑別部と接続され、前記回線を使用して前記鑑別部から前記識別情報を受信し、
前記鑑別部は、
前記回線に障害が発生した場合には、前記媒体から読み取った前記識別文字列を前記識別情報として記憶部に保存し、前記回線が復旧した後、前記記憶部に保存してある前記識別情報を、前記回線を使用して前記管理制御部に送信する
ことを特徴とする媒体処理装置。
【請求項９】
前記識別情報には、前記識別文字列の各文字を文字コードに変換してなる識別文字列データと、前記媒体の前記識別文字列が付された面を撮影して得られた媒体画像データの少なくとも一方が含まれている
ことを特徴とする請求項８に記載の媒体処理装置。
【請求項１０】
前記鑑別部は、
前記回線を使用して前記管理制御部に前記識別情報を送信する際には、前記識別文字列データと前記媒体画像データとの両方を含む前記識別情報を送信し、
前記記憶部に前記識別情報を保存する際には、前記識別文字列を正常に読み取ることができた媒体については前記識別文字列データのみを含む前記識別情報を保存し、前記識別文字列を正常に読み取ることができなかった媒体については前記識別文字列データと前記媒体画像データの両方を含む前記識別情報を保存する
ことを特徴とする請求項９に記載の媒体処理装置。
【請求項１１】
前記鑑別部は、
前記識別文字列を正常に読み取ることができた媒体のうち、読み取った前記識別文字列に誤りが生じている可能性がある媒体ついては、前記識別文字列データと前記媒体画像データの両方を含む前記識別情報を前記記憶部に保存する
ことを特徴とする請求項１０に記載の媒体処理装置。
【発明の詳細な説明】
【技術分野】
【０００１】
本発明は、媒体処理装置に関するものであり、例えば利用者との間で紙幣等の媒体を介して所望の取引を行う現金自動預払機（ＡＴＭ：Automatic  Teller  Machine）に適用して好適なものである。
【背景技術】
【０００２】
従来、現金自動預払機として、紙幣に印刷された記番号を読み取り、これを記憶管理するものがある（例えば特許文献１参照）。記番号とは紙幣を識別する為の通し番号であり、紙幣の識別情報として用いられるものである。
【０００３】
このような現金自動預払機の内部には、例えば、制御部と、紙幣に印刷された記番号を読み取る鑑別部が設けられている。鑑別部によって紙幣から読み取られた記番号は、記番号情報として鑑別部から制御部へと送られ、制御部によって記憶管理される。
【先行技術文献】
【特許文献】
【０００４】
【特許文献１】特開平２０１３−０８０３７２号公報
【発明の概要】
【発明が解決しようとする課題】
【０００５】
しかしながら、従来の現金自動預払機では、鑑別部と制御部とを繋ぐ回線に障害が発生すると、鑑別部から制御部へ記番号情報を送信できなくなり、制御部によって管理される記番号情報（すなわち媒体の識別情報）に欠落が生じるという問題があった。
【０００６】
本発明は以上の点を考慮したもので、媒体の識別情報の欠落を防止し得る媒体処理装置を提案しようとするものである。
【課題を解決するための手段】
【０００７】
かかる課題を解決するため本発明の媒体処理装置においては、媒体を処理する媒体処理部と、前記媒体処理部に設けられ、前記媒体に付された前記媒体を識別する為の識別文字列を前記媒体から読み取る鑑別部と、前記識別文字列を識別情報として前記鑑別部から受け取り管理する管理制御部とを設け、前記管理制御部は、前記識別情報を送受信する為に設けられた第１の回線によって前記鑑別部と接続されているとともに、前記識別情報とは別の情報を送受信する為に設けられた第２の回線によって前記鑑別部と接続され、前記第１の回線を使用して前記鑑別部から前記識別情報を受信し、前記第１の回線に障害が発生した場合には、前記第２の回線を使用して前記鑑別部から前記識別情報を受信するようにした。
【０００８】
これにより、識別情報を送受信する為に設けられた第１の回線に障害が発生しても、別の情報を送受信する為に設けられた第２の回線を使用して、制御部が鑑別部から識別情報を取得できるので、制御部によって管理する識別情報に欠落が生じることを防ぐことができる。
【０００９】
また本発明の媒体処理装置においては、媒体を処理する媒体処理部と、前記媒体処理部に設けられ、前記媒体に付された前記媒体を識別する為の識別文字列を前記媒体から読み取る鑑別部と、前記識別文字列を識別情報として前記鑑別部から受け取り管理する管理制御部とを設け、前記管理制御部は、前記識別情報を送受信する為に設けられた回線によって前記鑑別部と接続され、前記回線を使用して前記鑑別部から前記識別情報を受信し、前記鑑別部は、前記回線に障害が発生した場合には、前記媒体から読み取った前記識別文字列を前記識別情報として所定の記憶部に保存し、前記回線が復旧した後、前記記憶部に保存してある前記識別情報を、前記回線を使用して前記管理制御部に送信するようにした。
【００１０】
これにより、識別情報を送受信する為に設けられた回線に障害が発生しても、障害が発生している間に鑑別部が読み取った識別情報を、回線が復旧した後に、制御部が鑑別部から取得できるので、制御部によって管理する識別情報に欠落が生じることを防ぐことができる。
【発明の効果】
【００１１】
本発明は、媒体の識別情報の欠落を防止し得る媒体処理装置を実現できる。
【図面の簡単な説明】
【００１２】
【図１】現金自動預払機の構成を示す外観斜視図である。
【図２】紙幣入出金ユニットの内部構成を示す構成図である。
【図３】第１の実施の形態における主要部及び主要部を繋ぐ回線の構成を示すブロック図である。
【図４】第１の実施の形態における記番号情報取得処理を示すフローチャートである。
【図５】第２の実施の形態における主要部及び主要部を繋ぐ回線の構成を示すブロック図である。
【図６】第２の実施の形態における記番号情報取得処理を示すフローチャートである。
【発明を実施するための形態】
【００１３】
以下、発明を実施するための形態について、図面を用いて詳細に説明する。
【００１４】
［１．第１の実施の形態］
［１−１．現金自動預払機の構成］
まず第１の実施の形態について説明する。図１に外観を示すように、現金自動預払機１は、例えば金融機関等に設置され、顧客との間で入金取引や出金取引等の現金に関する取引を行うものである。
【００１５】
この現金自動預払機１は、箱状の筐体２を中心に構成されており、この筐体２の前面（利用者に対向する面）の上部には、接客部３が設けられている。接客部３は、カード入出口４、入出金口５、操作表示部６、テンキー７及びレシート発行口８からなり、顧客との間で現金や通帳等を直接やり取りすると共に、取引に関する情報の通知や操作指示の受付を行う部分である。
【００１６】
カード入出口４は、キャッシュカード等の各種カードが挿入又は排出される部分であり、このカード入出口４の奥側には、各種カードに磁気記録された口座番号等の読み取りを行うカード処理部（図示せず）が設けられている。
【００１７】
入出金口５は、顧客が入金する紙幣が投入されると共に、顧客へ出金する紙幣が排出される部分であり、シャッタを駆動することにより開放又は閉塞するようになっている。操作表示部６は、取引に際して操作画面を表示するＬＣＤ（Liquid Crystal Display）と、取引の種類の選択、暗証番号や取引金額等を入力するタッチパネルとが一体化されたものである。
【００１８】
テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分であり、このレシート発行口８の奥側には、レシートに取引内容等を印字するレシート処理部（図示せず）が設けられている。
【００１９】
さらに、現金自動預払機１の内部には、現金自動預払機１全体を統括制御する主制御部９、取引情報などを記憶する記憶部１０、及び紙幣の入出金に関する種々の処理を行う紙幣入出金ユニット１１が設けられている。主制御部９は、図示しないＣＰＵ（Central Processing Unit）を中心に構成されており、記憶部１０は、ハードディスクドライブやフラッシュメモリ等で構成されている。
【００２０】
また、紙幣入出金ユニット１１には、ユニット制御部１２が設けられている。ユニット制御部１２は、図示しないＣＰＵを中心に構成されており、主制御部９を介して記憶部１０から所定のプログラムを読み出して実行することにより、紙幣入出金ユニット１１の各部を制御して入金取引や出金取引等の種々の処理を行う。
【００２１】
さらに、図２に示すように紙幣入出金ユニット１１内の上部には、入出金口５を有する紙幣入出金部２０と、紙幣の金種や真偽を鑑別すると共に紙幣に付された記番号を読み取り識別する鑑別部２１と、入金紙幣等を一時的に収納する一時保留部２２が設けられている。
【００２２】
また、紙幣入出金ユニット１１内の下部には、紙幣を金種別に集積するリサイクル庫２３と、鑑別部２１による鑑別の結果、異常と判断された紙幣（例えば破損した紙幣）等を格納する入金庫２４が設けられている。
【００２３】
さらに、これら紙幣入出金部２０、鑑別部２１、一時保留部２２、リサイクル庫２３、入金庫２４が、搬送部２５により接続されている。搬送部２５は、図示しないローラやベルト等により、図中太線で示す搬送路に沿って長方形の紙幣を短辺方向に搬送するようになっている。また、搬送部２５の分岐点には、セレクタ２６が設けられている。セレクタ２６は、ユニット制御部１２の制御に基づき回動することで、紙幣の搬送先を切り替えるようになっている。
【００２４】
鑑別部２１は、光学素子や磁気検出素子等を用いて、内部を通る紙幣の金種及び真偽、並びに損傷の程度等（正損）を鑑別して、その鑑別結果をユニット制御部１２へ通知する。また鑑別部２１は、紙幣の記番号が印刷されている面を撮影して画像データ（これを紙幣画像データと呼ぶ）として取り込み、さらにこの紙幣画像データから、ＯＣＲ（Optical  Character  Recognition）によって記番号の各文字を文字コードに変換してなる文字列データ（これを記番号文字列データと呼ぶ）を抽出することで紙幣を識別する。
【００２５】
このとき、鑑別部２１は、紙幣の汚れや走行異常（例えばスキュー）などにより、記番号の全部又は一部を正常に読み取ることができない場合がある。このような場合、鑑別部２１は、例えば、記番号の全部又は一部がエラーを示す文字でなる記番号文字列データを生成するようになっている。紙幣画像データは、このように記番号の全部又は一部を正常に読み取ることができなかった場合に、後に、より高度なアルゴリズムのＯＣＲを用いて記番号を復元したり、人間の目で確認して記番号を復元したりするときに必要となる情報である。
【００２６】
鑑別部２１は、このようにして得られた紙幣画像データと記番号文字列データを、記番号情報として、主制御部９へ送信する。主制御部９は、鑑別部２１から送信されてくる記番号情報を記憶部１０に記憶して管理する。因みに、記番号情報は、例えば、どのような紙幣が取引されたのかを示すログ情報として利用されたり、偽札の特定に利用されたりする。
【００２７】
一時保留部２２は、入金時に利用者が入出金口５へ投入した紙幣を一時的に収納し、鑑別部２１で入金可能と鑑別された入金可能紙幣を入金が確定するまで一時的に保留する一方、入金不可と鑑別された入金不可紙幣を、所謂後入れ先出しで紙幣入出金部２０へ排出する。また一時保留部２２は、出金時において鑑別部２１で出金不可能と鑑別された出金不可紙幣を、出金可能な紙幣が出金されるまで一時的に保留し、その後当該出金不可紙幣を入金庫２４へ排出する。
【００２８】
リサイクル庫２３は、例えば金種ごとに設けられ、収納排出機構により、搬送部２５によって搬送されてきた紙幣を取り込んで収納すると共に、収納されている紙幣を排出して搬送部２５へ供給するようになっている。
【００２９】
以上の構成でなる現金自動預払機１は、鑑別部２１による紙幣の鑑別結果等をもとに主制御部９及びユニット制御部１２が各部を制御して、紙幣の入金処理、収納処理及び出金処理を行う。
【００３０】
すなわち、現金自動預払機１は、入金取引時、利用者により操作表示部６を介して入金取引が選択され、さらに入出金口５に紙幣が投入されると、投入された紙幣を紙幣入出金部２０から１枚ずつ鑑別部２１に搬送する。ここで現金自動預払機１は、鑑別部２１の鑑別結果に基づき入金可能紙幣と判定された紙幣については一時保留部２２に搬送して一時的に収納する一方で、入金に適さない入金不可紙幣と判定された紙幣については紙幣入出金部２０へ戻して、シャッタを開くことで利用者に返却する。
【００３１】
その後、利用者により入金金額が確定されると、現金自動預払機１は、収納処理を実施する。すなわち現金自動預払機１は、一時保留部２２に収納している紙幣を鑑別部２１に搬送して鑑別結果を得る。
【００３２】
ここで、現金自動預払機１は、鑑別部２１の鑑別結果に基づき収納可能紙幣と判定された紙幣については、その金種に対応するリサイクル庫２３へ搬送して保管する。一方で現金自動預払機１は、収納に適さない収納不可紙幣と判定された紙幣については、入金庫２４へ搬送することにより、収納可能紙幣とは分別して保管する。
【００３３】
また、出金取引時、現金自動預払機１は、利用者により操作表示部６を介して出金取引が選択され出金金額が入力されると、要求金額に応じて必要な金種毎の紙幣枚数を認識し、この金種毎の紙幣枚数に応じて各リサイクル庫２３から紙幣を繰り出して、鑑別部２１に搬送して鑑別結果を得る。
【００３４】
ここで、現金自動預払機１は、鑑別部２１の鑑別結果に基づき出金可能紙幣と判定された紙幣については紙幣入出金部２０に搬送する一方で、出金に適さない出金不可紙幣と判定された紙幣については一時保留部２２に搬送して一時的に収納する。
【００３５】
そして要求金額分の紙幣が紙幣入出金部２０へ集積されると、現金自動預払機１は、シャッタを開ける。これにより紙幣入出金部２０内に集積されている紙幣の受け取りが可能な状態となり、利用者がこの紙幣を受け取る。その後、現金自動預払機１は、一時保留部２２に収納している出金不可紙幣を入金庫２４へと搬送して保管する。
【００３６】
このようにして、現金自動預払機１は、紙幣の入金処理、収納処理及び出金処理を行うようになっている。
【００３７】
［１−２．現金自動預払機内部の回線の構成］
次に、現金自動預払機１の主制御部９とユニット制御部１２と鑑別部２１を繋ぐ回線について、図３を用いて説明する。現金自動預払機１の内部には、主制御部９と鑑別部２１とを繋ぐ回線３０と、主制御部９とユニット制御部１２を繋ぐ回線３１とが設けられ、さらに紙幣入出金ユニット１１の内部には、ユニット制御部１２と鑑別部２１とを繋ぐ回線３２が設けられている。
【００３８】
この現金自動預払機１では、回線３０を使用して主制御部９と鑑別部２１とが通信でき、また回線３１を使用して主制御部９とユニット制御部１２とが通信でき、さらに回線３２を使用してユニット制御部１２と鑑別部２１とが通信できる。さらに回線３１と回線３２を使用することで、主制御部９と鑑別部２１とが、ユニット制御部１２を介して通信することもできる。
【００３９】
主制御部９は、回線３１を使用してユニット制御部１２に制御信号等を送信することで、上述した入金処理、収納処理及び出金処理等を実行するよう指示する。鑑別部２１は、回線３２を使用してユニット制御部１２に紙幣の鑑別結果を送信する。また、鑑別部２１は、紙幣の記番号が印刷されている面を撮影して紙幣画像データとして取り込み、さらにこの紙幣画像データからＯＣＲによって記番号を記番号文字列データとして抽出する。そして、鑑別部２１は、これら紙幣画像データと記番号文字列データを記番号情報として、回線３０を使用して主制御部９に送信する。
【００４０】
また、現金自動預払機１では、通常、回線３０を使用して鑑別部２１から主制御部９に記番号情報を送信するが、回線３０に障害が発生して使用できない場合には、回線３０の代わりに回線３１と回線３２を使用して鑑別部２１から主制御部９に記番号情報を送信するようになっている。
【００４１】
［１−３．記番号情報取得処理］
次に、主制御部９が記番号情報を鑑別部２１から取得するときの処理（これを記番号情報取得処理と呼ぶ）の手順について図４に示すフローチャートを用いて説明する。この記番号情報取得処理は、主制御部９が鑑別部２１と協動して実行する処理であり、ここでは、１回の取引毎に行われる処理とする。
【００４２】
主制御部９は、例えば取引を開始すると、この記番号情報取得処理を開始する。主制御部９は、まず、ステップＳＰ１において、鑑別部２１との通信経路である回線３０に障害が発生しているかどうかを判別する。具体的には、例えば、回線３０を使用して鑑別部２１に応答を返すよう要求しても鑑別部２１からの応答が得られない場合、もしくは、鑑別部２１から回線３０を使用して送られてくるべき情報が送られてこない場合に、回線３０に障害が発生していると判別する。
【００４３】
主制御部９は、回線３０に障害が発生していない場合、このステップＳＰ１で否定結果を得て、ステップＳＰ２に移る。ステップＳＰ２において、主制御部９は、回線３０を使用して鑑別部２１と通信することにより、鑑別部２１に回線３０を使用して記番号文字列データと紙幣画像データからなる記番号情報を送信させ、これを受信する。主制御部９は、つづくステップＳＰ３において、今回の取引で扱われた全ての紙幣について、記番号情報の取得が完了したかどうかを判別し、まだ完了していない場合には、ステップＳＰ１に戻り、完了した場合には、この記番号情報取得処理を終了する。
【００４４】
これに対して、回線３０に障害が発生している場合、主制御部９は、上述のステップＳＰ１で肯定結果を得て、ステップＳＰ４に移る。ステップＳＰ４において、主制御部９は、鑑別部２１に回線３１と回線３２を使用して記番号情報を送信させる為に、鑑別部２１との通信経路を回線３０から回線３１と回線３２に切り替えるとともに、この旨を回線３１と回線３２を使用して鑑別部２１に通知する。尚、回線３０に障害が発生しているかどうかを、鑑別部２１が、回線３０を使用して主制御部９と通信できるか否かに応じて、自分で判別するようにしてもよい。
【００４５】
ところで、回線３０は、主制御部９と鑑別部２１との間で紙幣画像データを含む記番号情報を送受信する為に設けられた回線であり、一方で、回線３１と回線３２は、主制御部９とユニット制御部１２との間や鑑別部２１とユニット制御部１２との間で制御信号や鑑別結果といった紙幣画像データと比べて容量の小さいデータを送受信する為に設けられた回線である。ゆえに、回線３１や３２は、回線３０よりも低速な回線となっている。
【００４６】
したがって、記番号情報を回線３１と回線３２を使用して鑑別部２１から主制御部９に送信すると、回線３０を使用して送信するよりも通信時間が長くなり、結果として取引時間も長くなってしまう。そこで、現金自動預払機１では、回線３１と回線３２を使用して記番号情報を送信する場合には、後述する特定の場合を除き、記番号情報として記番号文字列データのみを鑑別部２１から主制御部９に送信するようになっている。
【００４７】
また、紙幣画像データは、紙幣の記番号の全部又は一部を正常に読み取ることができなかった場合に、後に、より高度なアルゴリズムのＯＣＲを用いて記番号を復元したり、人間の目で確認して記番号を復元したりするときに必要となる情報である。つまり、紙幣の記番号を正常に読み取ることができなかった場合、この紙幣画像データがないと、記番号を復元できなくなってしまう。よって、現金自動預払機１では、回線３１と回線３２を使用する際、記番号を正常に読み取ることができなかった紙幣については、回線３０を使用する場合と同様、記番号文字列データと紙幣画像データの両方を記番号情報として送信するようになっている。
【００４８】
記番号を正常に読み取ることができなかった状況としては、２パターンあり、１つは、紙幣の走行異常（例えばスキュー）などにより、紙幣画像データから記番号を全く読み取ることができなかった場合であり、もう１つは、紙幣の汚れなどにより、紙幣画像データから読み取った記番号の中にＯＣＲでは特定できない文字（つまり正常に読み取ることができなかった文字）が含まれていた場合である。これらの場合、鑑別部２１では、記番号の全部又は一部がエラーを示す文字でなる記番号文字列データが生成される。
【００４９】
このように、現金自動預払機１では、回線３１と回線３２を使用して記番号情報を送信する場合、記番号を正常に読み取ることができなかった紙幣については、記番号文字列データと紙幣画像データの両方を記番号情報として送信するようにして、それ以外の紙幣（すなわち記番号を正常に読み取ることができた紙幣）については、記番号文字列データのみを記番号情報として送信するようになっている。こうすることで、現金自動預払機１では、回線３１と回線３２を使用して記番号情報を送信する場合に、回線３０を使用して送信する場合と比べて通信時間が長くなってしまうことを極力回避でき、結果として取引時間が長くなってしまうことを防ぐことができる。
【００５０】
したがって、鑑別部２１は、上述のステップＳＰ４において、通信経路を回線３０から回線３１と回線３２に切り替える旨の通知を受けると、もしくは自ら回線３０に障害が発生していることを認識して通信経路を回線３０から回線３１と回線３２に切り替えると、つづくステップＳＰ５において、記番号情報正常に読み取ることができたか否かを判断する。
【００５１】
記番号情報を正常に読み取ることができたことにより、このステップＳＰ５で肯定結果を得ると、鑑別部２１は、ステップＳＰ６において、記番号文字列データのみを記番号情報として、回線３１と回線３２を使用して主制御部９に送信する。そして、主制御部９は、つづくステップＳＰ８において、今回の取引で扱われた全ての紙幣について、記番号情報の取得が完了したかどうかを判別し、まだ完了していない場合には、ステップＳＰ５に戻り、完了した場合には、この記番号情報取得処理を終了する。
【００５２】
これに対して、記番号情報を正常に読み取ることができなかったことにより、上述のステップＳＰ５で否定結果を得ると、鑑別部２１は、ステップＳＰ７において、記番号文字列データと紙幣画像データの両方を記番号情報として、回線３１と回線３２を使用して主制御部９に送信する。そして、主制御部９は、つづくステップＳＰ８において、今回の取引で扱われた全ての紙幣について、記番号情報の取得が完了したかどうかを判別し、まだ完了していない場合には、ステップＳＰ５に戻り、完了した場合には、この記番号情報取得処理を終了する。
【００５３】
主制御部９は、このような手順で、鑑別部２１から記番号情報を取得するようになっている。尚、上述の手順では、主制御部９と鑑別部２１との通信経路を、回線３０から回線３１及び３２に切り替えると、以降、取引で扱われた全ての紙幣の記番号情報を主制御部９が取得し終えるまで、回線３１及び３２を使用するようにした。これに限らず、例えば、通信経路を回線３１及び３２に切り替えた後、主制御部９と鑑別部２１が、紙幣の記番号情報を１枚分（もしくは所定枚数分）取得する毎に、回線３０が復旧しているかどうかを確認して、回線３０が復旧していれば、その時点で通信経路を回線３１及び３２から回線３０に戻すようにしてもよい。
【００５４】
［１−４．まとめと効果］
ここまで説明したように、現金自動預払機１は、鑑別部２１と主制御部９との間で記番号情報を遣り取りする為に設けられた回線３０に障害が発生した場合、鑑別部２１と主制御部９との通信経路を、ユニット制御部１２を介して鑑別部２１と主制御部９とを繋ぐ制御信号や鑑別結果を遣り取りする為に設けられた回線３１及び３２に切り替え、この回線３１及び３２を使用して、鑑別部２１から記番号情報を主制御部９へ送信するようにした。
【００５５】
こうすることで、現金自動預払機１では、回線３０に障害が発生して使用できなくなった場合でも、主制御部９が、鑑別部２１から記番号情報を取得できるので、主制御部９によって管理される記番号情報に欠落が生じてしまうことを防止できる。
【００５６】
また、そもそも回線３１と回線３２は、制御信号や鑑別結果の遣り取りに使用される回線である為、現金自動預払機１では、回線３０に障害が発生したときの為の専用のバックアップ回線を別途設けることなく、記番号情報の欠落を防止できる。
【００５７】
さらに、現金自動預払機１は、回線３０よりも低速な回線である回線３１及び３２を使用する場合には、記番号を正常に読み取ることができなかった紙幣についてのみ、記番号文字列データと紙幣画像データの両方を記番号情報として送信するようにして、それ以外の紙幣（すなわち記番号を正常に読み取ることができた紙幣）については、記番号文字列データのみを記番号情報として送信するようにした。
【００５８】
こうすることで、現金自動預払機１では、回線３１と回線３２を使用して記番号情報を送信する場合に、回線３０を使用して送信する場合と比べて通信時間が長くなってしまうことを極力回避でき、結果として取引時間が長くなってしまうことを防ぐことができる。また、記番号を正しく読み取ることができなかった紙幣については、紙幣画像データも取得することで、記番号を復元できなくなってしまう状況（つまり記番号が欠落してしまう状況）を回避できる。
【００５９】
［２．第２の実施の形態］
次に、第２の実施の形態について説明する。この第２の実施の形態は、鑑別部にメモリを設け、主制御部と鑑別部とを繋ぐ回線に障害が発生した場合に、鑑別部がこのメモリに記番号情報を保存しておき、回線が復旧したら、鑑別部がメモリに保存してある記番号情報を回線を使用して主制御部に送信する実施の形態である。
【００６０】
［２−１．現金自動預払機の構成］
図５に、現金自動預払機１００内部の主制御部９、ユニット制御部１２及び鑑別部１０１と、これらを繋ぐ回線３０、３１及び３２を示す。尚、現金自動預払機１００は、鑑別部１０１以外の構成については、第１の実施の形態の現金自動預払機１と同様である為、詳しい説明については第１の実施の形態を参照することとする。
【００６１】
この現金自動預払機１００は、鑑別部１０１に、記番号情報を保存する為のメモリ１０２が設けられている。
【００６２】
主制御部９は、回線３１を使用してユニット制御部１２に制御信号等を送信することで、上述した入金処理、収納処理及び出金処理等を実行するよう指示する。鑑別部１０１は、回線３２を使用してユニット制御部１２に紙幣の鑑別結果を送信する。また、鑑別部１０１は、紙幣の記番号が印刷されている面を撮影して紙幣画像データとして取り込み、さらにこの紙幣画像データからＯＣＲによって記番号を記番号文字列データとして抽出する。そして、鑑別部１０１は、これら紙幣画像データと記番号文字列データを記番号情報として、回線３０を使用して主制御部９に送信する。
【００６３】
また、鑑別部１０１は、回線３０に障害が発生して、主制御部９に記番号情報を送信できない場合には、記番号情報をメモリ１０２に保存しておき、回線３０が復旧したら、メモリ１０２に保存してある記番号情報を回線３０を使用して主制御部９に送信するようになっている。
【００６４】
［２−２．記番号情報取得処理］
次に、主制御部９が記番号情報を鑑別部１０１から取得するときの記番号情報取得処理の手順について図６に示すフローチャートを用いて説明する。この記番号情報取得処理は、主制御部９が鑑別部１０１と協動して実行する処理であり、ここでは、１回の取引毎に行われる処理とする。
【００６５】
主制御部９は、例えば取引を開始すると、この記番号情報取得処理を開始する。主制御部９は、まず、ステップＳＰ１０において、鑑別部２１との通信経路である回線３０に障害が発生しているかどうかを判別する。
【００６６】
主制御部９は、回線３０に障害が発生していない場合、このステップＳＰ１０で否定結果を得て、ステップＳＰ１１に移る。ステップＳＰ１１において、主制御部９は、回線３０を使用して鑑別部１０１と通信することにより、鑑別部１０１に回線３０を使用して記番号文字列データと紙幣画像データからなる記番号情報を送信させ、これを受信する。主制御部９は、つづくステップＳＰ１２において、今回の取引で扱われた全ての紙幣について、記番号情報の取得が完了したかどうかを判別し、まだ完了していない場合には、ステップＳＰ１０に戻り、完了した場合には、この記番号情報取得処理を終了する。
【００６７】
これに対して、回線３０に障害が発生している場合、主制御部９は、上述のステップＳＰ１０で肯定結果を得て、ステップＳＰ１３に移る。ステップＳＰ１３において、主制御部９は、鑑別部１０１に記番号情報をメモリ１０２に保存させる為に、回線３０に障害が発生している旨を、回線３１と回線３２を使用して鑑別部１０１に通知する。尚、回線３０に障害が発生しているかどうかを、鑑別部１０１が、回線３０を使用して主制御部９と通信できるか否かに応じて、自分で判別するようにしてもよい。
【００６８】
ところで、記番号情報の紙幣画像データは記番号文字列データと比べて大容量のデータである為、メモリ１０２に保存できる数に限りがある。この為、メモリ１０２には、後述する特定の場合を除き、記番号情報として記番号文字列データのみを保存するようになっている。
【００６９】
また、紙幣画像データは、紙幣の記番号の全部又は一部を正しく読み取ることができなかった場合に、後に、より高度なアルゴリズムのＯＣＲを用いて記番号を復元したり、人間の目で確認して記番号を復元したりするときに必要となる情報である。よって、現金自動預払機１００では、記番号情報をメモリ１０２に保存する際、記番号を正常に読み取ることができなかった紙幣については、記番号文字列データと紙幣画像データの両方を記番号情報として保存するようになっている。
【００７０】
このように、現金自動預払機１００では、メモリ１０２に記番号情報を保存する際、記番号を正常に読み取ることができなかった紙幣についてのみ、記番号文字列データと紙幣画像データの両方を記番号情報として保存するようにして、それ以外の紙幣（すなわち記番号を正常に読み取ることができた紙幣）については、記番号文字列データのみを記番号情報として保存するようになっている。こうすることで、現金自動預払機１００では、より多くの記番号情報をメモリ１０２に保存することができ、容量不足によってメモリ１０２に記番号情報を保存できなくなってしまう状況を極力回避できる。
【００７１】
したがって、鑑別部１０１は、上述のステップＳＰ１０において、回線３０に障害が発生している旨の通知を受けると、もしくは自ら回線３０に障害が発生していることを認識すると、ステップＳＰ１３において、記番号情報を正常に読み取ることができたか否かを判断する。記番号情報を正常に読み取ることができたことにより、このステップＳＰ１３で肯定結果を得ると、鑑別部１０１は、ステップＳＰ１４において、記番号文字列データのみを記番号情報としてメモリ１０２に保存して、ステップＳＰ１６に移る。
【００７２】
これに対して、記番号情報を正常に読み取ることができなかったことにより、上述のステップＳＰ１３で否定結果を得ると、鑑別部１０１は、ステップＳＰ１５において、記番号文字列データと紙幣画像データの両方を記番号情報としてメモリ１０２に保存して、ステップＳＰ１６に移る。
【００７３】
ステップＳＰ１６において、鑑別部１０１は、今回の取引で扱われた全ての紙幣について、記番号の読み取りが完了したかどうかを判別し、まだ完了していない場合には、ステップＳＰ１３に戻り、完了した場合には、ステップＳＰ１７に移る。
【００７４】
ステップＳＰ１７において、鑑別部１０１は、回線３０が復旧するのを待ち受ける。そして鑑別部１０１は、主制御部９から回線３０が復旧している旨の通知を回線３１と回線３２を介して受けると、もしくは、回線３０を使用して主制御部９と通信できるようになったことにより自ら回線３０が復旧したことを認識すると、ステップＳＰ１８に移り、メモリ１０２に保存してある記番号情報をメモリ１０２から読み出し、回線３０を使用して主制御部９に送信する。主制御部９は、記番号情報の受信を完了すると、この記番号情報取得処理を終了する。
【００７５】
主制御部９は、このような手順で、鑑別部２１から記番号情報を取得するようになっている。尚、上述の手順では、主制御部９と鑑別部１０１との間の回線３０に障害が発生すると、以降、取引で扱われた全ての紙幣の記番号の読み取りが完了するまで、紙幣から得られた記番号情報をメモリ１０２に保存していくようにした。これに限らず、例えば、鑑別部１０１が、紙幣の記番号を１枚分（もしくは所定枚数分）読み取る毎に、回線３０が復旧しているかどうかを判別して、回線３０が復旧していれば、以降、紙幣から得られた記番号情報をメモリ１０２に保存せずに回線３０を使用して主制御部９に送信するようにしてもよい。この場合、メモリ１０２に保存してある記番号情報については、例えば、回線３０の復旧後に得られた記番号情報の送信が完了した後で、メモリ１０２から読み出して主制御部９に送信すればよい。
【００７６】
［２−３．まとめと効果］
ここまで説明したように、現金自動預払機１００は、鑑別部１０１と主制御部９との間で記番号情報を遣り取りする為に設けられた回線３０に障害が発生した場合、紙幣から得られた記番号情報を鑑別部１０１のメモリ１０２に保存しておき、回線３０が復旧した後で、メモリ１０２に保存してある記番号情報を鑑別部１０１から主制御部９へ送信するようにした。
【００７７】
こうすることで、現金自動預払機１では、回線３０に障害が発生して使用できなくなった場合でも、その間に鑑別部２１によって紙幣から得られた記番号情報を、回線３０が復旧した後に、主制御部９が取得できるので、主制御部９によって管理される記番号情報に欠落が生じてしまうことを防止できる。
【００７８】
さらに、現金自動預払機１は、メモリ１０２に記番号情報を保存する場合には、記番号を正常に読み取ることができなかった紙幣についてのみ、記番号文字列データと紙幣画像データの両方を記番号情報として保存するようにして、それ以外の紙幣（すなわち記番号を正常に読み取ることができた紙幣）については、記番号文字列データのみを記番号情報として保存するようにした。
【００７９】
こうすることで、現金自動預払機１００では、より多くの記番号情報をメモリ１０２保存することができ、容量不足によってメモリ１０２に記番号情報を保存できなくなってしまう状況を極力回避できる。換言すれば、より少ない容量のメモリ１０２で記番号情報を保存することができるとも言える。また、記番号を正しく読み取ることができなかった紙幣については、紙幣画像データも保存することで、記番号を復元できなくなってしまう状況（つまり記番号が欠落してしまう状況）を回避できる。
【００８０】
［３．他の実施の形態］
［３−１．他の実施の形態１］
尚、上述した第１の実施の形態では、主制御部９と鑑別部２１との通信経路を回線３０から回線３１及び３２に切り替えた後、記番号を正常に読み取ることができなかった紙幣についてのみ、紙幣画像データを含む記番号情報を、鑑別部２１から主制御部９に送信するようにした。これに限らず、例えば、記番号を正常に読み取ることができたものの、この読み取った記番号に誤りがある可能性のある紙幣については、紙幣画像データを含む記番号情報を、鑑別部２１から主制御部９に送信するようにしてもよい。読み取った記番号に誤りがある可能性があるかどうかの判断は、例えば、鑑別部２１によって鑑別される紙幣の状態（汚れ、折れ、欠損など）に応じて鑑別部２１が行うようにすればよい。つまり、紙幣の状態が所定の状態より悪ければ、読み取った記番号に誤りがある可能性があると判断するようにればよい。
【００８１】
第２の実施の形態についても同様に、記番号情報をメモリ１０２に保存する際、記番号を正常に読み取ることができたものの、この読み取った記番号に誤りがある可能性のある紙幣については、鑑別部１０１が紙幣画像データを含む記番号情報をメモリ１０２に保存するようにしてもよい。
【００８２】
［３−２．他の実施の形態２］
また、上述した第２の実施の形態では、主制御部９と鑑別部１０１とを繋ぐ回線３０に障害が発生したら、紙幣から得られた記番号情報をメモリ１０２に保存し、回線３０が復旧したら、メモリ１０２に保存してある記番号情報を、回線３０を使用して鑑別部１０１から主制御部９に送信するようにした。これに限らず、回線３０に障害が発生したら、紙幣から得られた記番号情報を一旦メモリ１０２に保存し、その後、このメモリ１０２に保存してある記番号情報を、主制御部９と鑑別部１０１とをユニット制御部１２を介して繋ぐ回線３１と回線３２を使用して送信するようにしてもよい。
【００８３】
この場合、回線３１と回線３２は回線３０よりも回線速度が遅いので、鑑別部１０１が、メモリ１０２から記番号情報を一気に読み出して送信するのではなく、例えば、紙幣画像データを含む記番号情報については複数のデータに分割し、この分割したデータをメモリ１０２から順に読み出して送信するようにしてもよい。
【００８４】
また、現金自動預払機１００が入金処理や出金処理を行っている間は、回線３１と回線３２が制御信号や鑑別結果の送受信に使用される為、この間に、回線３１と回線３２を使用して記番号情報を送信してしまうと、制御信号や鑑別結果の送受信に遅延が発生する恐れがある。したがって、入金処理や出金処理が終了して現金自動預払機１がアイドル状態であり回線３１と回線３２が使用されていないときに、鑑別部１０１が、メモリ１０２に保存してある記番号情報を、回線３１と回線３２を使用して主制御部９に送信するようにしてもよい。
【００８５】
［３−３．他の実施の形態３］
さらに、上述した第２の実施の形態では、鑑別部１０１に記憶部の具体例であるメモリ１０２を設け、このメモリ１０２に記番号情報を保存するようにした。これに限らず、例えば、ユニット制御部１２にメモリを設け、鑑別部１０１によって紙幣から取得された記番号情報が、ユニット制御部１２に送られ、ユニット制御部１２が、この記番号情報をメモリに保存するようにしてもよい。この場合、回線３０が復旧したら、ユニット制御部１２が、メモリ１０２に保存してある記番号情報を、回線３２と回線３０を使用して鑑別部１０１を経由して主制御部９に送信すればよい。また、回線３０に障害が発生している間、メモリ１０２に保存した記番号情報を、主制御部９とユニット制御部１２とを繋ぐ回線３１を使用して送信するようにしてもよい。
【００８６】
また、これに限らず、回線３０に障害が発生している場合でも鑑別部１０１からアクセスできるメモリを、紙幣入出金ユニット１１内に設け、このメモリに記番号情報を保存するようにしてもよい。
【００８７】
［３−４．他の実施の形態４］
さらに、上述した第１の実施の形態では、主制御部９とユニット制御部１２とを繋ぐ第２の回線の具体例である回線３１と、ユニット制御部１２と鑑別部２１とを繋ぐ第２の回線の具体例である回線３２が、主制御部９と鑑別部２１とを繋ぐ第１の回線の具体例である回線３０よりも低速な回線である為、回線３１と回線３２とを使用して記番号情報を送信する場合には、記番号を正常に読み取ることができなかった紙幣についてのみ、記番号文字列データと紙幣画像データとを記番号情報として送信するようにし、記番号を正常に読み取ることができた紙幣については、記番号文字列データのみを送信するようにした。これに限らず、例えば、回線３０と３１が、回線３０とほぼ同じ速度の回線、もしくは回線３０よりも高速な回線であるならば、記番号を正常に読み取ることができた紙幣についても、記番号文字列データと紙幣画像データとを記番号情報として送信するようにしてもよい。
【００８８】
また、上述した第２の実施の形態では、メモリ１０２に記番号情報を保存する際には、記番号を正常に読み取ることができなかった紙幣についてのみ、記番号文字列データと紙幣画像データとを記番号情報として保存するようにし、記番号を正常に読み取ることができた紙幣については、記番号文字列データのみを保存するようにした。これに限らず、例えば、メモリ１０２の容量が、数十〜数百枚程度の紙幣の画像データを保存するのに十分な容量を持つものであれば、記番号を正常に読み取ることができた紙幣についても、記番号文字列データと紙幣画像データとを記番号情報として保存するようにしてもよい。
【００８９】
［３−５．他の実施の形態５］
さらに、上述した第１の実施の形態では、回線３１と回線３２とを使用して記番号情報を送信する際に、記番号を正常に読み取ることができなかった紙幣についてのみ、記番号文字列データと紙幣画像データとを記番号情報として送信するようにした。これに限らず、記番号を正常に読み取ることができなかった紙幣については、紙幣画像データのみを記番号情報として送信するようにしてもよい。
【００９０】
さらに、上述した第２の実施の形態では、メモリ１０２に記番号情報を保存する際に、記番号を正常に読み取ることができなかった紙幣についてのみ、記番号文字列データと紙幣画像データとを記番号情報として保存するようにした。これに限らず、記番号を正常に読み取ることができなかった紙幣については、紙幣画像データのみを記番号情報として保存するようにしてもよい。
【００９１】
［３−６．他の実施の形態６］
さらに、上述した各実施の形態では、本発明を、媒体処理装置としての現金自動預払機１及び１００に適用したが、本発明は、これに限らず、紙幣から記番号を読み取って管理する機能を有する媒体処理装置であれば、現金自動預払機１及び１００以外の媒体処理装置に適用してもよい。
【００９２】
さらに、上述した各実施の形態では、本発明を、紙幣を扱う現金自動預払機１及び１００に適用したが、これに限らず、紙、切符など、紙幣以外の媒体を扱う媒体処理装置であっても、媒体に付された媒体を識別する為の識別文字列を読み取って識別情報として管理する機能を有する媒体処理装置であれば、適用することができる。
【００９３】
さらに、上述した各実施の形態では、媒体を処理する媒体処理部の具体例として紙幣入出金ユニット１１を用いたが、これに限らず、例えば、紙幣以外の媒体を扱う場合には、その媒体を処理する媒体処理部を用いればよい。
【００９４】
さらに、上述した各実施の形態では、媒体に付された識別文字列を読み取る鑑別部の具体例として、識別文字列の具体例である記番号を読み取る鑑別部２１を用いたが、これに限らず、例えば、紙幣以外の媒体を扱う場合には、その媒体に付された識別文字列を読み取る鑑別部を用いればよい。
【００９５】
さらに、上述した各実施の形態では、識別文字列を識別情報として鑑別部から受け取り管理する管理制御部の具体例として、主制御部９を用いたが、これに限らず、識別情報を管理するものであれば、主制御部９とは異なる構成の管理制御部を用いてもよい。
【００９６】
さらに、上述した各実施の形態では、媒体処理部としての紙幣入出金ユニット１１を制御する媒体処理制御部の具体例として、ユニット制御部１２を用いたが、これに限らず、媒体処理部を制御するものであれば、ユニット制御部１２とは異なる構成の媒体処理制御部を用いてもよい。
【００９７】
［３−７．他の実施の形態７］
さらに、本発明は、上述した第１及び第２の実施の形態と、他の実施の形態とに限定されるものではない。すなわち本発明は、上述した第１及び第２の実施の形態と他の実施の形態の一部または全部を任意に組み合わせた実施の形態や、一部を抽出した実施の形態にもその適用範囲が及ぶものである。
【産業上の利用可能性】
【００９８】
本発明は、媒体に付された識別情報を読み取って管理する装置で広く利用することができる。
【符号の説明】
【００９９】
１、１００……現金自動預払機、９……主制御部、１１……紙幣入出金ユニット、１２……ユニット制御部、２１、１０１……鑑別部、３０、３１、３２……回線、１０２……メモリ。
【図１】
2016091495.tif 000003
【図２】
2016091495.tif 000004
【図３】
2016091495.tif 000005
【図４】
2016091495.tif 000006
【図５】
2016091495.tif 000007
【図６】
2016091495.tif 000008